(57)【要約】      （修正有）【課題】カラオケ利用者に歌唱による健康維持などを支援するカラオケシステムに関し、利用者に対して歌唱による実効的なストレス解消を支援して利用者の満足度の向上を図る。【解決手段】遠隔入出力装置１７のストレス値検出手段１７Ｂに設けられた電極で利用者のログイン操作時に第１ストレス値を検出させ、ログアウト操作時に第２ストレス値を検出させて利用者ストレス情報として記憶し、ストレス解消度演算手段３０において当該第１ストレス値及び第２ストレス値に基づいてストレス解消値を演算し、報知手段３１において演算された当該ストレス解消値を当該利用者がログアウトする時に報知する。【選択図】図１
2015172701.tif 000002
【特許請求の範囲】
【請求項１】
カラオケ装置とサーバとが通信自在なカラオケシステムであって、
前記カラオケ装置は、
利用者の心拍に関する生体情報を検知する電極を備え、当該電極より検知した生体情報を分析して当該利用者のストレス値を検出するストレス値検出手段と、
前記利用者のログイン操作時及びログアウト操作時にそれぞれ前記ストレス値検出手段でストレス値を検出させるログイン・ログアウト処理手段と、
ログイン操作時に検出させた第１ストレス値を取得すると共に、ログアウト操作時に検出させた第２ストレス値を取得するストレス情報取得手段と、
前記ストレス情報取得手段より前記利用者のログイン操作時及びログアウト操作時に取得した前記第１ストレス値及び第２ストレス値に基づいてストレス解消値を演算するストレス解消度演算手段と、
前記ストレス解消度演算手段で算出されたストレス解消値を当該利用者がログアウトする時に報知する報知手段と、
を有することを特徴とするカラオケシステム。
【請求項２】
請求項１記載のカラオケシステムであって、
前記サーバは、
前記カラオケ装置より前記利用者を特定する利用者ＩＤに関連付けられた少なくとも前記算出されたストレス解消値及び当該利用者が歌唱した曲数を取得する利用者情報取得手段と、
前記取得したストレス解消値及び曲数に基づいて、前記利用者の歌唱１曲あたりのストレス解消値である単位ストレス解消値を算出し、当該利用者のそれまでに算出された総ての単位ストレス解消値の平均値である平均ストレス解消値を算出するストレス情報統計手段と、
前記算出された単位ストレス解消値及び当該単位ストレス解消値の総てから算出された前記平均ストレス解消値を前記利用者ＩＤに関連付けて記憶する記憶手段と、
を有し、
前記カラオケ装置は、
前記ストレス情報取得手段が、前記利用者のログイン操作時に前記ストレス値検出手段より検出した第１ストレス値を取得すると共に、前記利用者ＩＤに基づいて前記サーバより前記平均ストレス解消値を取得し、
前記ストレス解消度演算手段が、前記取得した第１ストレス値が予め設定した設定基準値を上回っている場合に、当該第１ストレス値及び平均ストレス解消値に基づいて、ログアウト操作時に検出される第２ストレス値が当該設定基準値を下回る結果となる曲数を算出し、
前記報知手段が、前記算出された曲数を推奨歌唱曲数としてログイン操作時に報知する、
ことを特徴とするカラオケシステム。
【発明の詳細な説明】
【技術分野】
【０００１】
本発明は、カラオケ利用者に歌唱による健康維持などを支援するカラオケシステムに関する。
【背景技術】
【０００２】
近年、カラオケ装置は高機能化により利用者に対して歌唱による健康維持や介護などの種々の支援を行うものも出現している。また、カラオケ歌唱によってストレス解消に役立つということが広く一般に知られており、新たに利用者に対して効率的なストレス解消を支援することが望まれる。
【０００３】
従来、カラオケ歌唱による健康維持や介護などの種々の支援を行うものとして、例えば特許文献１では、歌唱によるカロリー消費量を算出し、利用者にカロリー消化効果として報知することにより、利用者のカロリー管理やダイエットなど健康維持努力を支援する技術が開示されている。
【０００４】
一方で、ストレスに関して、例えば特許文献２に開示されているような腕時計型の外観を有し、心拍変動を高速フーリエ変換によりスペクトル分析してリラックス状態の程度を判定する装置が知られている。スマートホンのアプリケーションソフトでストレスを数値化するものもある。
【０００５】
また、特許文献３に開示されているようなゲーム機のコントローラに遊戯者の心拍に関する生体情報を検出する測定部を備え、遊戯者のテクノストレスを測定し、ストレス値が所定値を超えた場合には遊戯者をテクノストレスから保護するために強制的にゲームを終了したり、ゲーム・キャラクターの戦闘能力を低下させて興趣性を向上させたりする技術も知られている。
【先行技術文献】
【特許文献】
【０００６】
【特許文献１】特開２０００−０２９４７９号公報
【特許文献２】特開平１０−０７６０１２号公報
【特許文献３】特開２００８−１０４５９６号公報
【特許文献４】特開２００７−２２５９９３号公報
【発明の概要】
【発明が解決しようとする課題】
【０００７】
上記のような歌唱によるカロリー消費以外にも、カラオケ利用者のフィジカル・ケアに着目した技術は多数知られているが、その一方で利用者のメンタル・ケアに関わるものは少なく、カラオケルーム利用者のストレスを数値化し、歌唱によるストレス解消を支援するようなものは存在していない。また、特許文献４には歌唱者の緊張度をマイクに伝わる手の震えから検出して報知したり、歌唱評価に利用したりする技術が開示されているが、歌唱者のストレス解消を積極的に支援するものではなく、手の震えという信頼度の低い情報に依存していることから、ストレス解消を支援するとまでには至ることができない。
【０００８】
そこで、本発明は上記課題に鑑みなされたもので、利用者に対して歌唱による実効的なストレス解消を支援して利用者の満足度の向上を図るカラオケシステムを提供することを目的とする。
【課題を解決するための手段】
【０００９】
上記課題を解決するために、請求項１の発明では、カラオケ装置とサーバとが通信自在なカラオケシステムであって、前記カラオケ装置は、利用者の心拍に関する生体情報を検知する電極を備え、当該電極より検知した生体情報を分析して当該利用者のストレス値を検出するストレス値検出手段と、前記利用者のログイン操作時及びログアウト操作時にそれぞれ前記ストレス値検出手段でストレス値を検出させるログイン・ログアウト処理手段と、ログイン操作時に検出させた第１ストレス値を取得すると共に、ログアウト操作時に検出させた第２ストレス値を取得するストレス情報取得手段と、前記ストレス情報取得手段より前記利用者のログイン操作時及びログアウト操作時に取得した前記第１ストレス値及び第２ストレス値に基づいてストレス解消値を演算するストレス解消度演算手段と、前記ストレス解消度演算手段で算出されたストレス解消値を当該利用者がログアウトする時に報知する報知手段と、を有する構成とする。
【００１０】
請求項２の発明では、前記サーバは、前記カラオケ装置より前記利用者を特定する利用者ＩＤに関連付けられた少なくとも前記算出されたストレス解消値及び当該利用者が歌唱した曲数を取得する利用者情報取得手段と、前記取得したストレス解消値及び曲数に基づいて、前記利用者の歌唱１曲あたりのストレス解消値である単位ストレス解消値を算出し、当該利用者のそれまでに算出された総ての単位ストレス解消値の平均値である平均ストレス解消値を算出するストレス情報統計手段と、前記算出された単位ストレス解消値及び当該単位ストレス解消値の総てから算出された前記平均ストレス解消値を前記利用者ＩＤに関連付けて記憶する記憶手段と、を有し、前記カラオケ装置は、前記ストレス情報取得手段が、前記利用者のログイン操作時に前記ストレス値検出手段より検出した第１ストレス値を取得すると共に、前記利用者ＩＤに基づいて前記サーバより前記平均ストレス解消値を取得し、前記ストレス解消度演算手段が、前記取得した第１ストレス値が予め設定した設定基準値を上回っている場合に、当該第１ストレス値及び平均ストレス解消値に基づいて、ログアウト操作時に検出される第２ストレス値が当該設定基準値を下回る結果となる曲数を算出し、前記報知手段が、前記算出された曲数を推奨歌唱曲数としてログイン操作時に報知する、構成とする。
【発明の効果】
【００１１】
請求項１の発明によれば、利用者のログイン操作時及びログアウト操作時にそれぞれストレス値検出手段でストレス値を検出させ、ログイン操作時に検出させた第１ストレス値及びログアウト操作時に検出させた第２ストレス値に基づいてストレス解消値を演算して当該ストレス解消値を当該利用者がログアウトする時に報知する構成とすることにより、利用者のストレスを数値化して歌唱後のストレス解消の程度を提示することでストレス解消のための利用者の歌唱意欲を向上させることができ、歌唱による実効的なストレス解消を支援することとなって利用者の満足度の向上を図ることができるものである。
【００１２】
請求項２の発明によれば、サーバにおいてカラオケ装置で算出されたストレス解消値及び曲数に基づいて、利用者の歌唱１曲あたりのストレス解消値である単位ストレス解消値を算出すると共に、当該利用者のそれまでに算出された総ての単位ストレス解消値の平均値である平均ストレス解消値を算出して記憶し、カラオケ装置においてサーバより平均ストレス解消値を取得し、利用者のログイン操作時に検出した第１ストレス値が予め設定した設定基準値を上回っている場合に、当該第１ストレス値及び平均ストレス解消値に基づき、ログアウト操作時に検出される第２ストレス値が当該設定基準値を下回る結果となる曲数を算出してログイン操作時に推奨歌唱曲数として報知する構成とすることにより、利用者のストレスを数値化し、利用者の状況に応じた歌唱曲数を算出することから、カラオケ歌唱でストレス解消しようとする利用者にとって的確なアドバイスを提供でき、利用者の歌唱による実効的なストレス解消を支援することができるものであり、特にストレス解消値が利用者個人の性格や歌唱態様に依存している場合に効果がある。
【図面の簡単な説明】
【００１３】
【図１】本発明に係るカラオケ装置のブロック構成図である。
【図２】本発明に係るサーバの説明図である。
【図３】図１の遠隔入出力装置における最初のログイン時のフローチャート及び報知表示の説明図である。
【図４】図１のカラオケ装置におけるストレス解消値演算処理のフローチャート及び報知表示の説明図である。
【図５】図２のサーバにおける平均ストレス値演算処理のフローチャートである。
【図６】図１のカラオケ装置におけるストレス解消報知処理のフローチャートである。
【図７】図１の遠隔入出力装置における報知表示の説明図である。
【発明を実施するための形態】
【００１４】
以下、本発明の実施形態を図により説明する。
図１に、本発明に係るカラオケ装置のブロック構成図を示す。本発明は、カラオケ装置とサーバとによりカラオケシステムが構成される。図１において、カラオケ装置１１は、主要装置としてのカラオケ本体１２に、有線又は無線で外部接続されるものとして、表示部１３、ミキシングアンプ１４、マイク１５、スピーカ１６、遠隔入出力端末１７が接続される。
【００１５】
上記表示部１３は、通常の楽曲選曲表示やカラオケ演奏時の背景映像等を表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる音楽演奏信号に、マイク１５からの音声信号をミキシングし、増幅してスピーカ１６より出力する。
【００１６】
上記遠隔入出力端末１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、少なくともログイン・ログアウト処理手段１７Ａ、ストレス値検出手段１７Ｂ、選曲楽曲登録手段１７Ｃ及び端末表示手段１７Ｄを適宜備える。
【００１７】
上記ログイン・ログアウト処理手段１７Ａは、利用者によるログイン操作に応じて当該利用者より利用者ＩＤを取得してログインを許可し、当該利用者ＩＤを後述のカラオケ本体１２のＲＡＭ２３の記憶領域に形成された利用者情報４２に記憶し、当該利用者ＩＤを後述の平均ストレス解消値を要求するコマンドと共にサーバ６２に送出する処理を行うと共に、ログアウト操作に応じて利用終了の処理を行うと共に、後述のＲＡＭ２３の利用者情報４２として記憶されているストレス解消値及び歌唱曲数を利用者ＩＤに関連付けてサーバ６２に送出する処理を行い、また、ログイン操作時及びログアウト操作時に当該利用者に後述のストレス値を検出させるための指示（電極を把持させる指示）を端末表示手段１７Ｄで表示させるプログラムである。
【００１８】
上記ストレス値検出手段１７Ｂは、当該遠隔入出力端末１７の筐体の一部を構成する２つの把持部（図３参照の１８Ａ，１８Ｂ）に電極（図３参照の１９Ａ，１９Ｂ）が設けられたもので、利用者が電極を両手で把持することで検知した心拍に関する生体情報を分析して当該利用者のストレス値を検出するプログラムであり、前述の特許文献２で知られているプログラムが適用可能である。また、電極（１９Ａ，１９Ｂ）についても前述の特許文献３で知られている測定部が適用可能である。
【００１９】
選曲楽曲登録手段１７Ｃは楽曲を検索させ、選曲させるテーブルを備えるプログラムであり、選曲された楽曲は、後述のカラオケ本体１２における予約待ち行列（４１）に登録される。上記端末表示部１７Ｄは、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。
【００２０】
上記カラオケ本体１２は、バス２０、中央制御部２１、ＲＯＭ２２、ＲＡＭ２３、映像表示制御手段２４、音楽演奏制御部２５、音源（シンセサイザ）２６、送受信部２７Ａ，２７Ｂ、記憶部２８、ストレス情報取得手段２９、ストレス解消度演算手段３０及び報知手段３１を備える。上記ＲＡＭ２３には予約待ち行列４１及び利用者情報４２の記憶領域が形成され、記憶部２８には楽曲ＤＢ５１及び映像ＤＢ５２が記憶される。なお、上記各構成について、本発明の要旨と直接関連しない要素部分であっても、従前のカラオケシステムにおいても大部分が適用可能であることを示すために、構成要素の全体を説明する。
【００２１】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、予約待ち行列４１及び利用者情報４２の記憶領域が形成される他に、上記種々のプログラムを展開、実行させるための作業領域としての役割をなすもので、例えば半導体メモリで構成され、仮想的にハードディスク上に構築される場合をも含む概念である。
【００２２】
ここで、ＲＡＭ２３に形成される利用者情報４２の記憶領域には、上記ログイン・ログアウト処理手段１７Ａで取得した利用者ＩＤに関連付けてログイン日時、利用時間及びログアウトまでに歌唱した曲数の情報などが記憶されると共に、上記ストレス値検出手段１７Ｂで利用者のログイン操作時に検出された第１ストレス値、ログアウト操作時に検出された第２ストレス値、後述のストレス解消度演算手段３０で演算されたストレス解消値、並びに、後述するサーバより取得した平均ストレス解消値の情報などが記憶される。
【００２３】
上記映像表示制御手段２４は、演奏時に、映像ＤＢ５２より抽出された背景映像及び楽曲ＤＢ５１より抽出された楽曲の歌詞データを表示部１３に出力するプログラム乃至電子回路である。上記音楽演奏制御部２５は、例えばシーケンスプログラムを備え、楽曲ＩＤで楽曲ＤＢ５１より抽出された音符データに従って音源（シンセサイザ）２６を駆動するもので、当該音源２６の出力は演奏信号としてミキシングアンプ１４に出力される。
【００２４】
上記送受信部２７Ａは、遠隔入出力端末１７との間で有線方式ないし無線方式（ＩＲ方式やブルートゥース（登録商標）機構のピコネット接続方式など）を利用してデータ授受を行うためのもので、そのための電子回路及びプログラムである。上記送受信部２７Ｂは、インターネットなどの通信ネットワーク６１を介してカラオケ装置１１とサーバ６２とがデータ授受を行うための物理的な通信用回路やプラットフォーム等のソフトウエアにより構成されるものである。なお、サーバ６２については図２で説明する。
【００２５】
上記記憶部２８に記憶されている楽曲ＤＢ５１は、楽曲毎に、音符データ、歌詞データ、歌唱採点のためのリファレンスデータなどを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）等で構成される楽曲データ（ファイル）について楽曲ＩＤをファイル名としてそれぞれ格納したデータベースである。上記記憶部２８に記憶されている映像ＤＢ５２は、楽曲毎に応じた背景映像データについて楽曲ＩＤをファイル名として所定数格納したデータベースである。
【００２６】
上記ストレス情報取得手段２９は、上記遠隔入出力装置１７のストレス値検出手段１７Ｂで検出された第１ストレス値及び第２ストレス値を取得して利用者ＩＤに関連付けて上記ＲＡＭ２３に利用者情報４２として記憶する共に、後述するサーバ６２より平均ストレス解消値を取得して当該利用者ＩＤに関連付けて当該ＲＡＭ２３の利用者情報４２に記憶するプログラムである。
【００２７】
上記ストレス解消度演算手段３０は、ストレス情報取得手段２９が取得してＲＡＭ２３の利用者情報４２として記憶した第１ストレス値及び第２ストレス値に基づいてストレス解消値を演算すると共に、第１ストレス値が予め設定した設定基準値を上回っている場合に、当該第１ストレス値及び利用者情報４２として記憶されている平均ストレス解消値に基づいて、ログアウト操作時に検出される第２ストレス値が当該設定基準値を下回る結果となる曲数を算出するプログラムであり、処理タイミングや処理内容の詳細は図４及び図６で説明する。
【００２８】
上記報知手段３１は、後述の図３、図４及び図７で説明するが、ストレス解消度演算手段３０で算出されたストレス解消値を当該利用者がログアウトする時に報知すると共に、平均ストレス解消値に基づいてストレス解消度演算手段３０が算出した曲数を推奨歌唱曲数としてログイン操作時に報知するプログラムである。
【００２９】
続いて、図２に、本発明に係るサーバの説明図を示す。まず、図２（Ａ）において、サーバ６２は、インターネットなどの通信ネットワーク６１を介して所定数のカラオケ端末であるカラオケ装置１１（１１Ａ〜１１Ｎ）を管理し、当該各カラオケ装置１１に対する楽曲データの配信や各種データを送受する装置である。
【００３０】
サーバ６２は、図２（Ｂ）に示すように、少なくとも制御部７１、送受信部７２、利用者情報取得手段７３、ストレス情報統計手段７４、利用者情報更新手段７５及び記憶手段である利用者ＤＢ７６を備える。上記制御部７１は、当該サーバ６２を統括的に制御する物理的なＣＰＵであり、図示しないＲＯＭに格納されているプログラムを実行処理して統括的な処理を行う。
【００３１】
上記送受信部７２は、各カラオケ装置１１（１１Ａ〜１１Ｎ）との通信（データ授受）を行うために、通信ネットワーク６１の通信方式と整合性をとるための例えば物理的な通信用回路やプラットフォーム等のソフトウエアにより構成される。上記利用者情報取得手段７３は、カラオケ装置１１より利用者を特定する利用者ＩＤに関連付けられた少なくとも当該カラオケ装置１１で算出されたストレス解消値及び当該利用者が歌唱した曲数を取得するプログラムである。
【００３２】
上記ストレス情報統計手段７４は、カラオケ装置１１より取得したストレス解消値及び曲数に基づいて、当該利用者の歌唱１曲あたりのストレス解消値である単位ストレス解消値を算出し、当該利用者のそれまでに算出された総ての単位ストレス解消値の平均値である平均ストレス解消値を算出するプログラムであり、処理内容の詳細は図５で説明する。
【００３３】
上記利用者情報更新手段７５は、カラオケ装置１１より送られてくる利用者ＩＤに関連付けられた少なくともログイン日時、利用時間、ストレス解消値（Ｄ）、歌唱曲数（Ｎ）を更新すると共に、上記ストレス情報統計手段７４で演算した単位ストレス解消値（Ｄｕ）及び平均ストレス解消値（Ｄａｖ）を更新するプログラムである。
【００３４】
上記利用者ＤＢ７６は、図２（Ｃ）に示すように、利用者の利用者ＩＤと関連付けられて、少なくともログイン日時、利用時間、ストレス解消値（Ｄ）、歌唱曲数（Ｎ）、単位ストレス解消値（Ｄｕ）及び平均ストレス解消値（Ｄａｖ）を記憶するデータベースである。
【００３５】
そこで、図３に、図１の遠隔入出力装置における最初のログイン時のフローチャート及び報知表示の説明図を示す。図３での最初のログインとは便宜上のもので、上記サーバ６２の利用者ＤＢ７６に単位ストレス解消値や平均ストレス解消値が存在していない状態をいう。
【００３６】
図３（Ａ）において、利用者による遠隔入出力装置１７を用いたログイン要求に応じてログイン・ログアウト処理手段１７Ａのログイン処理が開始され、利用者ＩＤの要求に対して当該利用者より利用者ＩＤを取得する（ステップ１（Ｓ１））。利用者ＩＤを取得すると、利用者に対して、図３（Ｂ）に示すように、遠隔入出力装置１７の筐体両側部の把持部１８Ａ、１８Ｂに設けられた電極１９Ａ，１９Ｂを把持するように指示する表示をする（Ｓ２）。
【００３７】
電極１９Ａ，１９Ｂより検知された心拍に関する生体情報に基づいて、ストレス値検出手段１７Ｂが当該生体情報を分析して当該利用者のストレス値を検出し（Ｓ３）、ストレス情報取得手段２９がログイン操作時の当該ストレス値を第１ストレス値Ｓｔ１として利用者ＩＤに関連付けてＲＡＭ２３の利用者情報４２の記憶領域に記憶する（Ｓ４）。ログインした利用者は、遠隔入出力装置１７の選曲楽曲登録手段１７Ｃより楽曲を選曲して予約待ち行列４１に登録して歌唱するもので、歌唱した曲数は利用者ＩＤに関連付けてＲＡＭ２３の利用者情報４２の記憶領域に記憶されていく。
【００３８】
続いて、図４に、図１のカラオケ装置におけるストレス解消値演算処理のフローチャート及び報知表示の説明図を示す。図４（Ａ）において、利用者がカラオケルームで楽曲を所定数歌唱した後に、遠隔入出力装置１７を用いてログアウト操作をすると（Ｓ１１）、ログアウト画面でログアウトする利用者を指定することにより利用者ＩＤが決定されて利用者ＩＤが取得されることとなる（Ｓ１２）。利用者ＩＤを取得すると、ログイン時と同様に電極１９Ａ，１９Ｂを把持するように指示する表示をする（Ｓ１３）。
【００３９】
電極１９Ａ，１９Ｂより検出された心拍に関する生体情報に基づいて、ストレス値検出手段１７Ｂが当該生体情報を分析して当該利用者のストレス値を検出し（Ｓ１４）、ストレス情報取得手段２９がログアウト操作時の当該ストレス値を第２ストレス値Ｓｔ２として利用者ＩＤに関連付けてＲＡＭ２３の利用者情報４２の記憶領域に一旦記憶する。
【００４０】
そこで、ストレス解消度演算手段３０において、ＲＡＭ２３の利用者情報４２に記憶されている第１ストレス値Ｓｔ１及び第２ストレス値Ｓｔ２に基づいてストレス解消値Ｄを演算する（Ｓ１５）。具体的には、第１ストレス値Ｓｔ１と第２ストレス値Ｓｔ２との差分又は比率で演算するもので、ここでは差分（上記利用者ＤＢ７６も同様である）とし、
ストレス解消値Ｄ＝Ｓｔ１−Ｓｔ２
の演算処理でストレス解消値Ｄを算出する。
【００４１】
そして、報知手段３１が、算出されたストレス解消値Ｄを、遠隔入出力装置１７の端末表示手段１７Ｄに表示させ、ログイン・ログアウト処理手段１７Ａが、送受信部２７Ｂ、通信ネットワーク６１を介してサーバ６２に対し、利用者ＩＤに関連付けてログイン日時と共に、ストレス解消値Ｄ及びＲＡＭ２３の利用者情報４２に記憶されている利用者が歌唱した曲数Ｎを送出してログアウト処理を終了する（Ｓ１６）。例えば、図４（Ｂ）に示すように、利用者のログイン操作時の第１ストレス値Ｓｔ１が「２５２」であり、ログアウト操作時の第２ストレス値Ｓｔ２が「９０」であったときに、「あなたのストレス解消値  １６２」と表示する。
【００４２】
次に、図５に、図２のサーバにおける平均ストレス値演算処理のフローチャートである。図５において、サーバ６２では、カラオケ装置１１より送出された利用者情報（利用者ＩＤ、ログイン日時、ストレス解消値Ｄ、曲数Ｎ）を通信ネットワーク６１、送受信部７２を介して利用者情報取得手段７３が取得し、図示しない記憶部に一旦記憶する（Ｓ２１）。
【００４３】
そこで、ストレス情報統計手段７４において、ストレス解消値Ｄ及び曲数Ｎより一曲当たりの単位ストレス解消値Ｄｕ（Ｄｕ＝Ｄ／Ｎ）を演算して算出する（Ｓ２２）。また、利用者ＤＢ７６より当該利用者ＩＤに関連付けられている過去に算出した総ての単位ストレス解消値Ｄｕを平均化した平均ストレス解消値Ｄａｖ
Ｄａｖ＝ａｖｅｒａｇｅ(Ｄｕ１，Ｄｕ２，Ｄｕ３,・・・)
を演算する（Ｓ２３）。
【００４４】
そして、利用者情報更新手段７５が、新たな単位ストレス解消値Ｄｕ及び算出した平均ストレス解消値Ｄａｖを利用者ＤＢ７６に対して更新する（Ｓ２４）ものである。
【００４５】
続いて、図６に図１のカラオケ装置におけるストレス解消報知処理のフローチャートを示すと共に、図７に図１の遠隔入出力装置における報知表示の説明図を示す。図６において、以前にストレス解消対象の歌唱を行い、ストレス解消値Ｄが利用者ＤＢ７６に記憶されている利用者により遠隔入出力装置１７を用いてログイン要求があると、ログイン・ログアウト処理手段１７Ａのログイン処理が開始され、利用者ＩＤの要求に対して当該利用者より利用者ＩＤを取得する（Ｓ３１）。
【００４６】
利用者ＩＤを取得すると、利用者に対して、図３（Ｂ）に示すような遠隔入出力装置１７の筐体両側部の把持部１８Ａ、１８Ｂに設けられた電極１９Ａ，１９Ｂを把持するように指示する表示をする（Ｓ３２）。当該利用者の電極１９Ａ，１９Ｂより検知された心拍に関する生体情報に基づいて、ストレス値検出手段１７Ｂが当該生体情報を分析して当該利用者のストレス値を検出し、ストレス情報取得手段２９がログイン操作時の当該ストレス値を第１ストレス値Ｓｔ１として利用者ＩＤに関連付けてＲＡＭ２３の利用者情報４２の記憶領域に記憶すると共に、サーバ６２に対して当該利用者ＩＤを平均ストレス解消値Ｄａｖを要求するコマンド共に送出する（Ｓ３３）。
【００４７】
サーバ６２は当該カラオケ装置１１の要求に対して利用者ＤＢ７６より当該利用者ＩＤに関連付けられている平均ストレス解消値Ｄａｖを当該カラオケ装置１１に送出することでカラオケ装置１１におけるストレス情報取得手段２９が取得してＲＡＭ２３の利用者情報４２として記憶する（Ｓ３４）。
【００４８】
そこで、ストレス解消度演算手段３０ではストレス値に関して予め設定基準値Ｓｓを設定しておき、ログイン操作時に計測した第１ストレス値Ｓｔ１及び取得した平均ストレス解消値Ｄａｖに基づいて、後のログアウト時における第２ストレス値Ｓｔ２が設定基準値Ｓｓより下回させるべく曲数を演算する（Ｓ３５）。
【００４９】
例えば、設定基準値Ｓｓを「１５０」と設定しておき、また、サーバ６２から取得した平均ストレス解消値Ｄａｖが「１８．８」であり、検出された第１ストレス値Ｓｔ１が「３００」である場合に、第１ストレス値Ｓｔ１は設定基準値Ｓｓより上回っており、後のログアウト時における第２ストレス値Ｓｔ２が設定基準値Ｓｓより下回させるべく曲数（推奨歌唱曲数）Ｎｘを、
設定基準値Ｓｓ＞第１ストレス値Ｓｔ１−平均ストレス解消値Ｄａｖ×Ｎｘ
の演算式より演算して算出する。ここでは、Ｎｘが「７．９８」となり、推奨歌唱曲数を「８」として推奨する。
【００５０】
そして、上記推奨歌唱曲数Ｎｘを報知手段３１が遠隔入出力装置１７の端末表示手段１７Ｄに表示して報知する（Ｓ３６）。例えば、図７（Ａ）に示すように、ログイン操作時に、「ストレス解消のための歌唱曲数  ８曲」と表示する。
【００５１】
なお、利用者のログアウト操作時に検出された第２ストレス値Ｓｔ２が第１ストレス値Ｓｔ１を上回りストレス解消値Ｄがマイナスになった場合やストレス解消値Ｄが小さい場合には、報知手段３１が、図７（Ｂ）に示すように、例えば「もっとリラックスして歌いましょう」などを表示させることとしてもよい。
【００５２】
このように、利用者のストレスを数値化して歌唱後のストレス解消の程度を提示することでストレス解消のための利用者の歌唱意欲を向上させることができ、歌唱による実効的なストレス解消を支援することとなって利用者の満足度の向上を図ることができるものである。また、利用者の状況に応じた推奨歌唱曲数を算出することで、カラオケ歌唱でストレス解消しようとする利用者にとって的確なアドバイスを提供でき、利用者の歌唱による実効的なストレス解消を支援することができるものであり、特にストレス解消値が利用者個人の性格や歌唱態様に依存している場合に効果があるものである。
【００５３】
なお、利用者情報取得手段７３が第１ストレス値を取得し、ストレス情報統計手段７４が利用者毎に第１ストレス値の平均値Ｓｔ１ａｖを算出し、ストレス情報取得手段２９が第１ストレス値の平均値Ｓｔ１ａｖを取得し、ストレス解消度演算手段３０が設定基準値Ｓｔｓとして第１ストレス値の平均値Ｓｔ１ａｖを用いてもよい。このような構成にすることにより、利用者の平均的な歌唱前のストレス値を基準としてログイン時に推奨歌唱曲数を報知するので、より利用者個人に合ったストレス解消を支援することができる。
【００５４】
また、ログイン時あるいはログアウト時以外でも、ストレス値検出手段１７Ｂによりストレス値Ｓｔｎを検出してもよい。例えば、歌唱の合間に利用者が遠隔入出力装置１７を用いて新たに楽曲を選曲、予約する際に、Ｓ２やＳ１３と同様にして利用者に指示を出し、検出されたストレス値Ｓｔｎをストレス情報取得手段２９により取得し、ストレス解消度演算手段３０がその時点での残りの推奨歌唱曲数を算出して報知手段３１により利用者に報知してもよい。このような構成にすることにより、利用者のストレス解消をよりきめ細やかに支援することができる。
【産業上の利用可能性】
【００５５】
本発明のカラオケシステムは、カラオケの基本的機能を備えるカラオケ装置の産業分野に利用可能である。
【符号の説明】
【００５６】
１１            カラオケ装置
１２            カラオケ本体
１７            遠隔入出力装置
１７Ａ          ログイン・ログアウト処理手段
１７Ｂ          ストレス値検出手段
２９            ストレス情報取得手段
３０            ストレス解消度演算手段
３１            報知手段
４２            利用者情報
６２            サーバ
７３            利用者情報取得手段
７４            ストレス情報統計手段
【図１】
2015172701.tif 000003
【図２】
2015172701.tif 000004
【図３】
2015172701.tif 000005
【図４】
2015172701.tif 000006
【図５】
2015172701.tif 000007
【図６】
2015172701.tif 000008
【図７】
2015172701.tif 000009